(57)【要約】【課題】シール材の封止性能が低下することを抑制することができるセンサ及び電子機器を提供する。【解決手段】  センサ１０は、センサ本体の設定を変更する設定部１８と、設定部１８における軸部１８ｂを取り囲むように設けられ、軸部１８ｂと筐体１２との隙間を封止する環状の封止リング６０と、を備え、封止リング６０は、断面視において凸状に湾曲した曲面部６１と、封止リング６０の軸方向における曲面部６１の両側に、曲面部６１とは異なる形状を有すると共に封止リング６０の軸方向に沿って延びる一対の端部６２ａ、６２ｂと、を有する。【選択図】図４
2020149925.tif 000002
【特許請求の範囲】
【請求項１】
光を出す投光部及び光を受ける受光部の少なくとも一方を筐体内に収容するセンサであって、
外部からの入力操作を受けてセンサ本体の設定を変更し、前記筐体内に挿入される軸部を有する設定部と、
前記軸部を取り囲むように設けられ、前記軸部と前記筐体との隙間を封止する環状の封止リングと、を備え、
前記封止リングは、
断面視において凸状に湾曲した曲面部と、
前記封止リングの軸方向における前記曲面部の両側に、前記曲面部とは異なる形状を有すると共に前記封止リングの軸方向に沿って延びる一対の端部と、を有する、
センサ。
【請求項２】
外部からの入力操作を受けて前記設定部における前記軸部が軸方向に移動したときに、前記一対の端部のうちの一方が前記軸部の外周面に当接され、前記一対の端部のうちの他方が前記筐体の一部に当接される、
請求項１に記載のセンサ。
【請求項３】
前記一対の端部の内周面は、断面視において前記曲面部の内周面よりも径方向外側に位置し、
前記一対の端部の外周面は、断面視において前記曲面部の外周面よりも径方向内側に位置している、
請求項１又は２に記載のセンサ。
【請求項４】
前記一対の端部の一方は、前記曲面部における軸方向一端側から第一方向に沿って延びる断面視平面形状を呈し、
前記一対の端部の他方は、前記曲面部における軸方向他端側から第一方向に対向する方向に沿って延びる断面視平面形状を呈している、
請求項１から３のいずれか一項に記載のセンサ。
【請求項５】
前記曲面部及び前記一対の端部は、それぞれ同一の弾性材料で形成されている、
請求項１から４のいずれか一項に記載のセンサ。
【請求項６】
筐体と、
前記筐体に収容され、制御回路が搭載された基板と、を備えた電子機器であって、
外部からの入力操作を受けて電子機器本体の設定を変更し、前記筐体内に挿入される軸部を有する設定部と、
前記軸部を取り囲むように設けられ、前記軸部と前記筐体との隙間を封止する環状の封止リングと、を備え、
前記封止リングは、
断面視において凸状に湾曲した曲面部と、
前記封止リングの軸方向における前記曲面部の両側に、前記曲面部とは異なる形状を有すると共に前記封止リングの軸方向に沿って延びる一対の端部と、を有する、
電子機器。
【発明の詳細な説明】
【技術分野】
【０００１】
本発明は、センサに関する。
【背景技術】
【０００２】
センサ等の電子機器は、薬品等の液体が使用される環境下で用いられる場合がある。例えば特許文献１に開示された光電センサは、主に工場の生産ラインや設備等に取り付けられるため、洗浄工程等においてセンサ本体に洗浄剤や流水等がかかる環境下で使用される。
【０００３】
このような環境下で使用される電子機器においては、内部への液体の浸入を阻止するために耐水性能が求められ、その構造には高い密閉性が要求される。
【０００４】
例えば光電センサにおいては、内部への液体の侵入を阻止するために、スイッチの封止構造が採用されている。図９に示す例では、光電センサの設定（例えば動作モード等）を切り替えるためのスイッチ２１８が筐体２１２に設けられている。同図に示すスイッチ２１８は、押しボタン式のスイッチで構成され、その先端側の頂部２１８ａをユーザが操作することにより例えば２段階の動作モードに光電センサの設定を切り替える等の調整を行うことができる。このスイッチ２１８の周囲には、筐体２１２とスイッチ２１８の軸部２１８ｂとの間の隙間を埋めるように環状のシール材２６０（例えば、図９に示すように、断面視略円形のＯリング）が配設され、これにより、筐体２１２の内部の電子部品が収容されている空間が、外部空間から封止される。
【先行技術文献】
【特許文献】
【０００５】
【特許文献１】特開２００７−０７３４１７号公報
【発明の概要】
【発明が解決しようとする課題】
【０００６】
上記のように筐体２１２とスイッチ２１８との間に環状のシール材２６０を設けた封止構造が知られているが、例えば、図１０に示すように、ユーザがスイッチ２１８を操作した際に、スイッチ２１８の軸部２１８ｂに接するシール材２６０が、摩擦により過剰な回転（例えば、図１０に示す軸Ｈ（断面視においてシール材２６０の軸方向（図１０では上下方向）の中央を通り、当該軸方向に直交する軸）が軸Ｈ´に回転する捻じれ）が生じてしまうことがある。このような場合、シール性が低下し、電子機器内部への液体の浸入を十分に阻止することができないおそれがある。
【０００７】
そこで、本発明は、シール材の封止性能が低下することを抑制することができるセンサを提供することを目的とする。
【課題を解決するための手段】
【０００８】
本発明の一態様に係るセンサは、光を出す投光部及び光を受ける受光部の少なくとも一方を筐体内に収容するセンサであって、外部からの入力操作を受けてセンサ本体の設定を変更し、筐体内に挿入される軸部を有する設定部と、軸部を取り囲むように設けられ、軸部と筐体との隙間を封止する環状の封止リングと、を備え、封止リングは、断面視において凸状に湾曲した曲面部と、封止リングの軸方向における曲面部の両側に、曲面部とは異なる形状を有すると共に封止リングの軸方向に沿って延びる一対の端部と、を有する。
【０００９】
この態様によれば、封止リングに一対の端部が設けられ、当該一対の端部は、曲面部とは異なる形状を有すると共に封止リングの軸方向に沿って延びているので、設定部が操作され、封止リングが摩擦により回転した際に、一対の端部のうちの少なくとも一方を、筐体又は設定部の軸部に当接させることができる。このように当接させることにより、設定部が操作された際に、設定部の軸部に接する封止リングの過剰な回転が抑えられる。その結果、封止リングの封止性能が低下することを抑制することができる。
【００１０】
上記態様において、外部からの入力操作を受けて設定部における軸部が軸方向に移動したときに、一対の端部のうちの一方が軸部の外周面に当接され、一対の端部のうちの他方が筐体の一部に当接されていてもよい。
【００１１】
この態様によれば、一対の端部の一方が軸部の外周面に当接され、一対の端部の他方が筐体の一部に当接されるので、設定部が例えばユーザにより操作された際に、設定部の軸部の外周面に接する封止リングの過剰な回転を抑えることができる。
【００１２】
上記態様において、一対の端部の内周面は、断面視において曲面部の内周面よりも径方向外側に位置し、一対の端部の外周面は、断面視において曲面部の外周面よりも径方向内側に位置していてもよい。
【００１３】
この態様によれば、軸部と筐体との間に配置される封止リングのうち一対の端部は、設定部が操作されないときには軸部と筐体のいずれにも当接しない位置に設けられるので、設定部の操作性を妨げることなく封止リングの過剰な回転が生じることを抑制することができる。
【００１４】
上記態様において、一対の端部の一方は、曲面部における軸方向一端側から第一方向に沿って延びる断面視平面形状を呈し、一対の端部の他方は、曲面部における軸方向他端側から第一方向に対向する方向に沿って延びる断面視平面形状を呈していてもよい。
【００１５】
この態様によれば、一対の端部は、曲面部における軸方向一端側又は軸方向他端側から互いに対向する方向に延びる平面形状を有しているため、例えばユーザが設定部を操作した際に、一対の端部の少なくとも一方を、設定部の軸部又は筐体の一部に当接させやすくすることができる。
【００１６】
上記態様において、曲面部及び一対の端部は、それぞれ同一の弾性材料で形成されていてもよい。
【００１７】
この態様によれば、封止リングを構成する曲面部及び一対の端部が同一の弾性材料で形成されているため、曲面部と一対の端部が異なる材料で形成されている構成と比較して、コストの低減を図ることができる。
【００１８】
本発明の一態様に係る電子機器は、筐体と、筐体に収容され、制御回路が搭載された基板と、を備えた電子機器であって、外部からの入力操作を受けて電子機器本体の設定を変更し、筐体内に挿入される軸部を有する設定部と、軸部を取り囲むように設けられ、軸部と筐体との隙間を封止する環状の封止リングと、を備え、封止リングは、断面視において凸状に湾曲した曲面部と、封止リングの軸方向における曲面部の両側に、曲面部とは異なる形状を有すると共に封止リングの軸方向に沿って延びる一対の端部と、を有する。
【００１９】
この態様によれば、一対の端部が、曲面部とは異なる形状を有すると共に封止リングの軸方向に沿って延びているので、設定部が操作され、当該設定部の軸部と封止リングとの間の摩擦で封止リングが回転した際に、当該一対の端部のうちの少なくとも一方を、筐体又は設定部の軸部に当接させることができる。これにより、設定部が操作された際に、設定部の軸部に接する封止リングの過剰な回転が抑えられる。その結果、封止リングの封止性能が低下することを抑制することができる。
【発明の効果】
【００２０】
本発明によれば、シール材の封止性能が低下することを抑制することができるセンサ及び電子機器を提供することができる。
【図面の簡単な説明】
【００２１】
【図１】実施形態に係る光電センサを一方向から見た斜視図である。
【図２】図１の光電センサを別の方向から見た斜視図である。
【図３】図１のＶ−Ｖ線に沿った断面図である。
【図４】センサの設定部周辺の構成を示す拡大断面図である。
【図５】Ｏリングの構成を示す斜視図である。
【図６】Ｏリングの構成を示す平面図である。
【図７】Ｏリングの構成を示す側面図である。
【図８】設定部を操作した際のＯリングの様子を説明するための図である。
【図９】従来のＯリングの構成を説明するための図である。
【図１０】従来のＯリングの構成を説明するための図である。
【発明を実施するための形態】
【００２２】
添付図面を参照して、本発明の実施形態について説明する。説明の便宜上、前後左右及び上下に関しては、図１及び２に示すものを基準にしている。各図において、同一の符号を付したものは、同一の又は同様の構成を有する。
【００２３】
なお、以下では、電子機器の一例として光電センサ１０の例を説明するが、この光電センサ１０に限定されず、光電センサ１０以外のセンサを含む、他の電子機器に適用することができる。
【００２４】
図１及び２に示すように、光電センサ１０は、筐体１２を備えている。筐体１２の内部には、投光部１４及び受光部１６が収容されている。また、筐体１２の外面には、例えば、ティーチボタン１８、調整ボタン２０、インジケータ２２及び表示部２４が設けられている。以下では、筐体１２内に投光部１４及び受光部１６を収容した例を前提として説明するが、図示の例に限定されずに、本実施形態では、筐体１２内に投光部１４及び受光部１６の少なくとも一方を収容していればよい。すなわち、投光部１４及び受光部１６それぞれを別個の筐体に収容した形態も本実施形態のセンサに含まれる。
【００２５】
投光部１４は、被検出物に対して光を投射するものであり、発光素子及び投光レンズを有している。発光素子は、例えばレーザダイオードであり、その光軸Ｘは前後方向に平行になっている。受光部１６は、被検出物に対して投射された光の反射光を受けるものであり、受光素子及び受光レンズを有している。受光素子は、例えば、２分割フォトダイオード又は位置検出素子である。被検出物までの距離を求める測距の検出原理としては、例えば、ＴＯＦ（Time of Flight）や三角測距の原理を用いることができる。例えば、上記構成において三角測距の原理を用いた場合、発光素子から出射された光が投光レンズを通って被検出物に投射され、被検出物によって反射した光が受光レンズを通って受光素子上で結像する。受光素子は、この結像位置に応じた２つの受光信号を出力し、アンプを介して制御回路へと送信する。アンプ及び制御回路は光電センサ１０に内蔵されており、制御回路において、受信した２つの受光信号から演算した位置信号値がしきい値と比較され、被検出物までの距離が求められる。
【００２６】
ティーチボタン１８は、センサ本体の設定を変更する設定部として機能するものであり、例えば、外部からの入力操作を受けてしきい値を設定する機能を有する。ここで、しきい値とは、光電センサ１０において被検出物の検出の有無又は被検出物までの距離を判断するための基準値をいい、感度を調整するための感度パラメータの一つである。感度パラメータとしては、このしきい値のほかに、投光部１４から出る光のパワー、すなわち投光強度や、受光部１６で受ける光の量の増幅率、すなわちゲインなどが挙げられる。例えば、反射率が低い透明な被検出物の場合には、高い投光強度に設定される。ユーザがティーチボタン１８を押すと、少なくともしきい値を含む感度パラメータを設定するティーチング処理が行われ、少なくともしきい値を含む感度パラメータが自動的にある程度の値に自動設定される。ティーチング処理としては、例えば１点ティーチング処理及び２点ティーチング処理があり、その内容については、本出願人による過去の特許文献（例えば特開２００８−２９８６１４号公報）などに詳述されているため、ここでは説明を省略する。
【００２７】
調整ボタン２０は、外部からの入力操作を受けて、ティーチボタン１８によって設定されたしきい値を微調整するための調整部として機能するものである。調整ボタン２０は、例えば、プッシュ式のUPボタン２０ａ及びDOWNボタン２０ｂを有している。UPボタン２０ａ及びDOWNボタン２０ｂは、左右方向に並んで配置されている。ユーザがUPボタン２０ａを押すと、ティーチボタン１８によって設定されたしきい値が１つずつ増加方向に変化する一方、ユーザがDOWNボタン２０ｂを押すと、このしきい値が１つずつ減少方向に変化する。このような外部からの入力操作に伴って、ティーチボタン１８によって設定されたしきい値が上げ下げされ、光電センサ１０において使用するしきい値が更新される。なお、調整ボタン２０を使って、しきい値以外の他の調整可能な値についても微調整することが可能である。例えば、表示部２４の明るさを微調整することも可能である。
【００２８】
インジケータ２２は、光電センサ１０の電源状況や検出状況に応じて点灯するものである。例えば、インジケータ２２は、電源がＯＮされているときに点灯する電源灯と、被検出物を検出したときに点灯する動作表示灯と、を有している。電源灯及び動作表示灯は、それぞれ、例えばＬＥＤからなり、互いに異なる表示色で点灯する。表示部２４は、各種の情報を表示する。例えば、表示部２４は、ティーチボタン１８によって設定されたしきい値、調整ボタン２０によって微調整されているときのしきい値、光電センサ１０によって求められた被検出物までの距離値などを表示する。
【００２９】
筐体１２は、例えば樹脂又は金属により形成され、略直方体形状を有している。筐体１２は、直方体を構成する六面に関して、前面３１、背面３２、頂面３３、底面３４、側面３５及び側面３６を有している。前面３１及び背面３２は、筐体１２の内部を挟んで対向している。同様に、頂面３３及び底面３４は筐体１２の内部を挟んで互いに対向し、また、側面３５及び側面３６は筐体１２の内部を挟んで互いに対向している。前面３１及び背面３２は、上下方向が左右方向よりも長く形成されている。同様に、頂面３３及び底面３４は前後方向が左右方向よりも長く、また、側面３５及び３６は上下方向が前後方向よりも長く形成されている。前面３１は、投光部１４からの光及び受光部１６への光を通過させる投受光面３１ａを有している。前面３１と反対側に位置する背面３２には、表示部２４が設けられている。頂面３３は、前面３１に隣接し、前面３１及び背面３２に直交する方向に延在している。頂面３３には、前面３１側から順番に、インジケータ２２及びティーチボタン１８が設けられている。
【００３０】
筐体１２は、上記の六面に加えて、直方体の二つの角のそれぞれに相当する位置に斜面３７及び斜面３８を有している。斜面３７には、調整ボタン２０が設けられている。具体的には、調整ボタン２０のUPボタン２０ａ及びDOWNボタン２０ｂが左右方向に所定の間隙を存して斜面３７に配置されている。斜面３８にはケーブル４０が設けられている。ケーブル４０は、例えば、光電センサ１０による検出結果を示す検出信号を光電センサ１０の外部に送信するために使用される。斜面３７は、背面３２及び頂面３３に対して傾斜して、背面３２と頂面３３とをつないでいる。同様に、斜面３８は、背面３２及び底面３４に対して傾斜して、この２つの面をつないでいる。
【００３１】
なお、筐体１２内には、光電センサとして通常設けられる構成（例えば、投光素子、受光素子、投光素子を駆動する図示しない投光回路、受光素子の受光信号を電気処理する図示しない受光回路が搭載された基板等）が収容されている。前述のケーブル４０は、その内部にケーブル芯線（不図示）を有し、当該ケーブル芯線が筐体１２内部を通り、筐体１２内に配置された上記基板に接続されている。なお、筐体１２に関する上記の「略直方体形状」とは、内角が全て９０度となる直方体ということではなく、少なくとも、そのような直方体の一つの角を斜面３７のように面取りしたことを含むものをいう。
【００３２】
上記ティーチボタン１８周辺の構成について説明する。図４は、ティーチボタン１８周辺の構成を示す拡大断面図である。本明細書では、ティーチボタン１８周辺の構成を説明するが、光電センサ１０の設定を調整するための他の設定部（例えば、調整ボタン２０を含むその他の設定部）にも、以下で説明する構成と同様の構成を適用することができる。
【００３３】
筐体１２には、ティーチボタン１８の下部を収容するための溝部１２１が形成されている。溝部１２１は、その周囲よりも陥没しており、ティーチボタン１８の頂部１８ａを外部に露出させるように、ティーチボタン１８の下部を収容している。溝部１２１は、ティーチボタン１８の外形に対応して形成されており、溝部１２１の内壁１２１ａは、ティーチボタン１８の上下方向の動きをガイド可能に構成されている。また、溝部１２１の底部には、ティーチボタン１８の軸部１８ｂが挿通する貫通孔１２１ｃが形成されており、筐体１２とティーチボタン１８の軸部１８ｂとの間には環状のＯリング６０（封止リング）が設けられている。
【００３４】
図４に示すＯリング６０は、軸部１８ｂを取り囲むように筐体１２に設けられ、軸部１８ｂと筐体１２との間を封止している。本実施形態におけるＯリング６０の構成を図５〜７に示す。図５は、Ｏリング６０の構成を示す斜視図である。図６は、Ｏリング６０の構成を示す平面図である。図７は、Ｏリング６０の構成を示す側面図である。
【００３５】
図４〜７に示すように、環状のＯリング６０は、断面視において凸状に湾曲した形状を呈する曲面部６１と、曲面部６１に接続される一対の平面部６２ａ、６２ｂ（一対の端部）とを有する。
【００３６】
曲面部６１は、Ｏリング６０の軸ＡＸ１に直交すると共にＯリング６０の中心Ｏを通過する平面を中間面Ｍ（図７参照）と定めた場合に、中間面Ｍを基準として対称に形成されている。
【００３７】
曲面部６１の外周面６１２は、断面視において、曲面部６１の一端（図４において曲面部６１の上端）から中間面Ｍ（図７参照）に漸次近づくにつれて径方向外側に湾曲する円弧形状を呈し、また、曲面部６１の他端（図４において曲面部６１の下端）から中間面Ｍに漸次近づくにつれて径方向外側に湾曲する円弧形状を呈している。
【００３８】
曲面部６１の内周面６１１は、断面視において、曲面部６１の一端（図４において曲面部６１の上端）から中間面Ｍに漸次近づくにつれて径方向内側に湾曲する円弧形状を呈し、また、曲面部６１の他端（図４において曲面部６１の下端）から中間面Ｍに漸次近づくにつれて径方向内側に湾曲する円弧形状を呈している。
【００３９】
曲面部６１の軸方向一端側（図７において曲面部６１の上端側）及び軸方向他端側（図７において曲面部６１の下端側）には、それぞれ一対の平面部６２ａ、６２ｂが接続される。本実施形態では、曲面部６１及び一対の平面部６２ａ、６２ｂが同一の弾性材料で構成されている。以下、一対の平面部６２ａ、６２ｂのうち、図７において上方側に位置する部分を、上方側平面部６２ａと称し、一対の平面部６２ａ、６２ｂのうち、図７において下方側に位置する部分を、下方側平面部６２ｂと称する。また、一対の平面部６２ａ、６２ｂを総称して本明細書では平面部６２とも称する。
【００４０】
曲面部６１の軸方向一端側（図４では曲面部６１の上側）には上方側平面部６２ａが接続されている。上方側平面部６２ａは、曲面部６１の軸方向一端側から上方側（図４において上方向（第一方向））に延びている。上方側平面部６２ａの内周面６２１ａ及び外周面６２２ａは、断面視平面形状を呈している。上方側平面部６２ａの内周面６２１ａは、図４に示すように、断面視において曲面部６１の内周面６１１よりも径方向外側に位置している。上方側平面部６２ａの外周面６２２ａは、断面視において曲面部６１の外周面６１２よりも径方向内側に位置している。
【００４１】
曲面部６１の軸方向他端側（図４では曲面部６１の下側）には下方側平面部６２ｂが接続されている。下方側平面部６２ｂは、曲面部６１の軸方向他端側から下方側（図４において下方向（第一方向に対向する方向））に延びている。下方側平面部６２ｂの内周面６２１ａ及び外周面６２２ａは、断面視平面形状を呈している。下方側平面部６２ｂの内周面６２１ｂは、図４に示すように、断面視において曲面部６１の内周面６１１よりも径方向外側に位置している。下方側平面部６２ｂの外周面６２２ｂは、断面視において曲面部６１の外周面６１２よりも径方向内側に位置している。
【００４２】
なお、一対の平面部６２ａ、６２ｂは、図７に示すＯリング６０の軸ＡＸ１方向に平行に延びた例が示されているがこの例に限定されない。すなわち、本明細書における、一対の平面部６２ａ、６２ｂがＯリング６０の軸ＡＸ１方向に沿って延びるとは、軸ＡＸ１方向に平行に延びる態様だけでなく軸ＡＸ１方向に対して所定角度傾斜して延びる態様も含まれる。
【００４３】
また、図示の例では、一対の平面部６２ａ、６２ｂは、断面視において平面形状を呈しているが、以下で説明するように、設定部が操作された際に、一対の平面部６２ａ、６２ｂの少なくとも一方が設定部の軸部又は筐体の一部に当接する機能を有していれば、平面形状以外の他の形状に変形することも可能である。
【００４４】
以上の構成を備える光電センサ１０を用いて、外部からの入力操作を受けてティーチボタン１８（設定部）が操作された際のＯリング６０の様子を以下で説明する。図８は、ティーチボタン１８が操作された際のＯリング６０の様子を説明するための図である。図８（Ａ）は、ティーチボタン１８の軸部１８ｂが上方向に移動したときの、Ｏリング６０の一例を示し、図８（Ｂ）は、ティーチボタン１８の軸部１８ｂが下方向に移動したときの、Ｏリング６０の一例を示す。
【００４５】
本実施形態では、外部からの入力操作を受けてティーチボタン１８の軸部１８ｂが軸方向に移動したときに、Ｏリング６０における平面部６２の一方が軸部１８ｂの外周面に当接され、他方が筐体１２の一部に当接される。具体的には、図８（Ａ）に示すように、ティーチボタン１８の軸部１８ｂが上方側に移動して、軸部１８ｂの外周面に接するＯリング６０が摩擦により回転が生じる際に（縦断面視において、曲面部６１及び平面部６２の左右方向中央を通り軸ＡＸ１（図７参照）に平行な軸ＡＸ２を定義したときに、当該軸ＡＸ２に直交する軸Ｍが、軸Ｍ´に回転するＯリング６０の捻じれが生じる際に）、上方側平面部６２ａの外周面６２２ａの上端が、筐体１２の一部に当接され、下方側平面部６２ｂの内周面６２１ｂの下端が、ティーチボタン１８の軸部１８ｂの外周面に当接される。一方、図８（Ｂ）に示すように、ティーチボタン１８の軸部１８ｂが下方側に移動して、軸部１８ｂの外周面に接するＯリング６０が摩擦により回転が生じる際に（縦断面視において、曲面部６１及び平面部６２の左右方向中央を通り軸ＡＸ１（図７参照）に平行な軸ＡＸ２を定義したときに、当該軸ＡＸ２に直交する軸Ｍが、軸Ｍ´に回転するＯリング６０の捻じれが生じる際に）、上方側平面部６２ａの内周面６２１ａの上端が、ティーチボタン１８の軸部１８ｂの外周面に当接され、下方側平面部６２ｂの外周面６２２ｂの下端が、筐体１２の一部に当接される。このように本実施形態では、外部からの入力操作を受けてティーチボタン１８における軸部１８ｂが軸方向に移動したときに、一対の平面部６２ａ、６２ｂのうちの一方が軸部１８ｂの外周面に当接され、一対の平面部６２ａ、６２ｂのうちの他方が筐体１２の一部に当接される。これにより、筐体１２と軸部１８ｂとの間に配置されるＯリング６０が摩擦により過剰な回転が生じることを抑えることができる。
【００４６】
以上説明したように本実施形態では、Ｏリング６０は、断面視において径方向に凸状に湾曲した曲面部６１と、曲面部６１における軸方向一端側及び軸方向他端側にそれぞれ接続され、曲面部６１とは異なる形状を呈する平面部６２と、を有し、平面部６２は、曲面部６１における軸方向一端部及び軸方向他端部からそれぞれＯリング６０の軸ＡＸ１に沿う方向に延びている。これにより、例えばユーザがティーチボタン１８を操作して、ティーチボタン１８の軸部１８ｂと筐体１２との間の隙間を封止するＯリング６０が摩擦によりその形状が変化した際に、平面部６２のうちの少なくとも一方が、ティーチボタン１８の軸部１８ｂ又は筐体１２の一部に当接する。このように当接することにより、軸部１８ｂと筐体１２との間を封止するＯリング６０に過剰な回転が生じることを抑えることができ、封止性能を向上させることができる。
【００４７】
以上説明した実施形態は、本発明の理解を容易にするためのものであり、本発明を限定して解釈するためのものではない。例えば、光電センサ１０以外の、筐体及び基板（制御回路が搭載された基板）を備えた電子機器に、以上説明したように、外部からの入力操作を受けてセンサ本体の設定を変更する設定部と、設定部の軸部を取り囲むように設けられ、軸部と筐体との隙間を封止する封止リングとを採用し、当該封止リングを、断面視において凸状に湾曲した曲面部と、封止リングの軸方向における曲面部の両側に、曲面部とは異なる形状を有すると共に封止リングの軸方向に沿って延びる一対の端部とを有する構成としてもよい。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００４８】
（附記）
１．  光を出す投光部１４及び光を受ける受光部１６の少なくとも一方を収容する筐体１２と、を備えたセンサ１０であって、
外部からの入力操作を受けてセンサ本体の設定を変更し、筐体１２内に挿入される軸部１８ｂを有する設定部１８と、
軸部１８ｂを取り囲むように設けられ、軸部１８ｂと筐体１２との隙間を封止する環状の封止リング６０と、を備え、
封止リング６０は、断面視において凸状に湾曲した曲面部６１と、封止リング６０の軸方向における曲面部６１の両側に、曲面部６１とは異なる形状を有すると共に封止リング６０の軸方向に沿って延びる一対の端部６２ａ、６２ｂと、を有する、
センサ１０。
６．  筐体と、筐体に収容され、制御回路が搭載された基板と、を備えた電子機器であって、
外部からの入力操作を受けてセンサ本体の設定を変更し、筐体内に挿入される軸部１８ｂを有する設定部１８と、
軸部１８ｂを取り囲むように設けられ、軸部１８ｂと筐体との隙間を封止する環状の封止リング６０と、を備え、
封止リング６０は、断面視において凸状に湾曲した曲面部６１と、封止リング６０の軸方向における曲面部６１の両側に、曲面部６１とは異なる形状を有すると共に封止リング６０の軸方向に沿って延びる一対の端部６２ａ、６２ｂと、を有する、
電子機器。
【符号の説明】
【００４９】
１０…光電センサ、１２…筐体、１４…投光部、１６…受光部、１８…ティーチボタン（設定部）、１８ｂ…軸部、４０…ケーブル、６０…Ｏリング（封止リング）、６１…曲面部、６２ａ、６２ｂ…平面部（端部）
【図１】
2020149925.tif 000003
【図２】
2020149925.tif 000004
【図３】
2020149925.tif 000005
【図４】
2020149925.tif 000006
【図５】
2020149925.tif 000007
【図６】
2020149925.tif 000008
【図７】
2020149925.tif 000009
【図８】
2020149925.tif 000010
【図９】
2020149925.tif 000011
【図１０】
2020149925.tif 000012